(57)【要約】【課題】  噴水管より噴出される水を効果的に照明することができる噴水装置を提供すること。【解決手段】  開口部１６を有する筒状本体部４と、筒状本体部４の内側に配設された噴水管８と、筒状本体部４と噴水管８との間に設けられた光源１０と、を備え、筒状本体部４の開口部１６には噴出用開口２２を有する透光板２０が設けられ、噴水管８の一端部は透光板２０の噴出用開口２２内又はその近傍に配設され、またその他端部は給水管５６に接続されており、給水管５６より供給された水は、噴水管８の内部を流れてその一端部より噴出され、光源１０からの光は、噴水管８の一端部より噴出される水を下方より照明する。【選択図】  図２
2006351268.tif 000002
【特許請求の範囲】
【請求項１】
開口部を有する筒状本体部と、前記筒状本体部の内側に配設された噴水管と、前記筒状本体部と前記噴水管との間に設けられた光源と、を備え、
前記筒状本体部の前記開口部には噴出用開口を有する透光板が設けられ、前記噴水管の一端部は前記透光板の前記噴出用開口内又はその近傍に配設され、またその他端部は給水管に接続されており、前記給水管より供給された水は、前記噴水管の内部を流れてその一端部より噴出され、前記光源からの光は、前記噴水管の一端部より噴出される水を下方より照明することを特徴とする噴水装置。
【請求項２】
前記光源は複数のＬＥＤから構成され、前記筒状本体部と前記複数のＬＥＤと間には内側筒状部が配設され、前記内側筒状部には、前記複数のＬＥＤを支持するための支持部材が設けられており、
前記内側筒状部の前記開口部には、挿通用開口を有する防水用透光カバーが前記複数のＬＥＤに対向して設けられ、前記噴水管は前記防水用透光カバーの前記挿通用開口に挿通されて、その一端部が前記透光板の前記噴出用開口内又はその近傍まで延びていることを特徴とする請求項１に記載の噴水装置。
【請求項３】
前記筒状本体部と前記内側筒状部との間には貯水空間が設けられており、前記噴水管の上端部より噴出された水の一部は前記貯水空間に貯められ、前記貯水空間に貯められた水は、前記内側筒状部及び前記支持部材を介して前記複数のＬＥＤを冷却することを特徴とする請求項２に記載の噴水装置。
【請求項４】
前記挿通用開口に関連して、前記噴水管と前記防水用透光カバーとの間をシールするための防水用シール部材が設けられていることを特徴とする請求項２又は３に記載の噴水装置。
【請求項５】
前記内側筒状部の内側部は、前記複数のＬＥＤからの光を反射させるように構成されていることを特徴とする請求項２〜４のいずれかに記載の噴水装置。
【請求項６】
前記複数のＬＥＤの各々のリード部は、防水用モールド部材により覆われていることを特徴とする請求項２〜５のいずれかに記載の噴水装置。
【請求項７】
前記噴水管は、その内部に水が流れる導水管と、前記導水管の外周を覆う保護管と、から構成されており、前記導水管と前記保護管との間には振動吸収材が介在されていることを特徴とする請求項１〜６のいずれかに記載の噴水装置。
【発明の詳細な説明】
【技術分野】
【０００１】
本発明は、噴水管より噴出された水を照明するための光源を装備した噴水装置に関する。
【背景技術】
【０００２】
従来より、例えば公園や広場などには噴水装置が設けられている。図６は従来の代表的な噴水装置であり、図示の噴水装置１００は、水が貯められる水槽１０２と、水槽１０２内に配設された噴水管１０４と、噴水管１０４に水を供給するための給水ポンプ１０６と、水槽１０２内の水を給水ポンプ１０６に送るための吸込管１０８と、噴水管１０４より噴出される水を照明するための光源１１０と、を備えている。噴水管１０４の一端部は水槽１０２内に貯められた水の水面よりも上側に突出され、またその他端部は給水ポンプ１０６に接続されている。給水ポンプ１０６が作動すると、水槽１０２内に貯められた水が吸込管１０８より給水ポンプ１０６に送られ、この給水ポンプ１０６に送られた水は噴水管１０４に供給され、噴水管１０４の内部を流れて噴水管１０４の一端部より噴出される。このように噴水管１０４の一端部より水が噴出されている状態において、例えばライトなどから構成される光源１１０が発光されると、この光源１１０からの光によって噴水管１０４の一端部より噴出される水が照明され、これにより例えば夜間などにおいて高いイルミネーション効果を得ることができる（例えば、特許文献１参照）。
【０００３】
【特許文献１】特開平８−２７３４０７号公報
【発明の開示】
【発明が解決しようとする課題】
【０００４】
しかしながら、上述のような従来の噴水装置１００では、噴水管１０４の一端噴出部と光源１１０との離間距離が大きいため、噴水管１０４より噴出される水の照明状態にムラが生じるなどして、効果的な照明を行うことができない。
【０００５】
本発明の目的は、噴水管より噴出される水を効果的に照明することができる噴水装置を提供することである。
【課題を解決するための手段】
【０００６】
本発明の請求項１に記載の噴水装置では、開口部を有する筒状本体部と、前記筒状本体部の内側に配設された噴水管と、前記筒状本体部と前記噴水管との間に設けられた光源と、を備え、
前記筒状本体部の前記開口部には噴出用開口を有する透光板が設けられ、前記噴水管の一端部は前記透光板の前記噴出用開口内又はその近傍に配設され、またその他端部は給水管に接続されており、前記給水管より供給された水は、前記噴水管の内部を流れてその一端部より噴出され、前記光源からの光は、前記噴水管の一端部より噴出される水を下方より照明することを特徴とする。
【０００７】
また、本発明の請求項２に記載の噴水装置では、前記光源は複数のＬＥＤから構成され、前記筒状本体部と前記複数のＬＥＤと間には内側筒状部が配設され、前記内側筒状部には、前記複数のＬＥＤを支持するための支持部材が設けられており、
前記内側筒状部の前記開口部には、挿通用開口を有する防水用透光カバーが前記複数のＬＥＤに対向して設けられ、前記噴水管は前記防水用透光カバーの前記挿通用開口に挿通されて、その一端部が前記透光板の前記噴出用開口内又はその近傍まで延びていることを特徴とする。
【０００８】
さらに、本発明の請求項３に記載の噴水装置では、前記筒状本体部と前記内側筒状部との間には貯水空間が設けられており、前記噴水管の上端部より噴出された水の一部は前記貯水空間に貯められ、前記貯水空間に貯められた水は、前記内側筒状部及び前記支持部材を介して前記複数のＬＥＤを冷却することを特徴とする。
【０００９】
また、本発明の請求項４に記載の噴水装置では、前記挿通用開口に関連して、前記噴水管と前記防水用透光カバーとの間をシールするための防水用シール部材が設けられていることを特徴とする。
【００１０】
さらに、本発明の請求項５に記載の噴水装置では、前記内側筒状部の内側部は、前記複数のＬＥＤからの光を反射させるように構成されていることを特徴とする。
また、本発明の請求項６に記載の噴水装置では、前記複数のＬＥＤの各々のリード部は、防水用モールド部材により覆われていることを特徴とする。
【００１１】
さらに、本発明の請求項７に記載の噴水装置では、前記噴水管は、その内部に水が流れる導水管と、前記導水管の外周を覆う保護管と、から構成されており、前記導水管と前記保護管との間には振動吸収材が介在されていることを特徴とする。
【発明の効果】
【００１２】
本発明の請求項１に記載の噴水装置によれば、筒状本体部と、筒状本体部の内側に配設された噴水管と、筒状本体部と噴水管との間に設けられた光源と、を備え、光源からの光は、噴水管の一端部より噴出される水を下方より照明するので、噴水管と光源との離間距離を小さくすることができ、これにより噴水管の一端部より噴出される水を均一に照明することができる。したがって、噴水管の一端部より透光板の噴出用開口を通して外部に噴出される水の照明状態にムラが生じることがなく、効果的な照明を行うことが可能となる。
【００１３】
また、本発明の請求項２に記載の噴水装置によれば、光源を構成する複数のＬＥＤは支持部材によって内側筒状部に支持され、内側筒状部の開口部には挿通用開口を有する防水用透光カバーが設けられ、噴水管は挿通用開口に挿通されてその一端部は透光板の噴出用開口内又はその近傍まで延びているので、噴水管の一端部より噴出された水の一部が内側筒状部内に流れ込むことがなく、ＬＥＤなどの電装部品に水が付着してＬＥＤ点灯回路などがショートするのを防止することができる。
【００１４】
さらに、本発明の請求項３に記載の噴水装置によれば、筒状本体部と内側筒状部との間には貯水空間が設けられており、噴水管の上端部より噴出された水の一部は貯水空間に貯められるので、この貯水空間に貯められた水は、内側筒状部及び支持部材を介して複数のＬＥＤを冷却し、これにより複数のＬＥＤが高温に上昇するのを抑制し、これらを効率よく発光させることが可能となる。
【００１５】
また、本発明の請求項４に記載の噴水装置によれば、噴水管と防水用透光カバー挿通用開口との間をシールするための防水用シール部材が設けられているので、噴水管の一端部より噴出された水の一部が、噴水管と防水用透光カバーとの間の隙間より内側筒状部内に浸入することがなく、ＬＥＤなどの電装部品に水が付着してＬＥＤ点灯回路などがショートするのを確実に防止することができる。
【００１６】
さらに、本発明の請求項５に記載の噴水装置によれば、内側筒状部の内側部は、複数のＬＥＤからの光を反射させるように構成されているので、複数のＬＥＤからの光を効率よく噴水管より噴出される水に照明させることが可能となる。
【００１７】
また、本発明の請求項６に記載の噴水装置によれば、複数のＬＥＤの各々のリード部は防水用モールド部材により覆われているので、仮に噴水管より噴出した水の一部が内側筒状部内に浸入した場合であっても、ＬＥＤのリード部に水が付着することがなく、ＬＥＤ点灯回路などがショートするのを確実に防止することが可能となる。
【００１８】
さらに、本発明の請求項７に記載の噴水装置によれば、噴水管は、導水管と、導水管の外周を覆う保護管と、から構成され、導水管と保護管との間には振動吸収材が介在されているので、導水管の内部を流れる水の圧力によって導水管が振動するのを抑制することができ、振動により導水管の側面に亀裂などが生じるのを防止することが可能となる。
【発明を実施するための最良の形態】
【００１９】
以下、添付図面を参照して、本発明に従う噴水装置の一実施形態について説明する。図１は、本発明の一実施形態による噴水装置を示す概略斜視図であり、図２は、図１の噴水装置を示す概略断面図であり、図３は、図２の噴水装置のＡ−Ａ’線による断面図であり、図４は、図２の光源及びその近傍を示す部分拡大断面図である。
【００２０】
図１〜図４を参照して、図示の噴水装置２は、筒状本体部４と、筒状本体部４の内側に配設された内側筒状部６と、内側筒状部６の更に内側に配設された噴水管８と、内側筒状部６と噴水管８との間に設けられた光源１０と、を備えている。噴水装置２は、例えば水が貯められる水槽１２の底部１４に所定の間隔を置いて複数設けられており（図１参照）、この水槽１２の底部１４はその大部分が地中に埋設されている。なお、この噴水装置２は、水槽１２に配設するのではなく、公園などの地面に埋設するように設置することもでき、この場合、噴水装置２から噴出する水は側溝などに流れるようになる。以下、噴水装置２の各構成要素について説明する。
【００２１】
筒状本体部４は、その上端部に開口部１６を有する円筒状に構成されており、水槽１２の底部１４に設けられた筒状本体部４の外径とほぼ同じ大きさの内径を有する円形状の取付開口１８に取り付けられ、このように取付開口１８に取り付けられた状態において上下方向（図２において上下方向）に延びて配設されている。筒状本体部４の開口部１６には、例えば強化ガラスなどから構成される円盤状の透光板２０が取り付けられており、この透光板２０は、光源１０（後述する）からの光が透過されるように構成され、その中央部には円形状の噴出用開口２２（後述する）が設けられている。この噴出用開口２２の内径は、噴水管８（後述する）の外径とほぼ同じ大きさに構成されている。筒状本体部４の開口部１６（開口端部）と透光板２０の外周部との間には、例えばＯリングなどから構成される環状の防水用シール部材２４が介在されており、この防水用シール部材２４によって筒状本体部４の開口部１６（開口端部）と透光板２０の外周部との間の隙間が気密的にシールされる。
【００２２】
内側筒状部６は、その上端部に開口部２６を有する円筒状に構成され、筒状本体部４の内側に上下方向に延びて配設されている。内側筒状部６の外径及び軸方向の長さは、筒状本体部４の内径及び軸方向の長さよりもそれぞれ小さく構成されており、内側筒状部６の上端部は筒状本体部４の上端部よりも下側に位置し、また内側筒状部６と筒状本体部４との間には貯水空間２８が設けられている。この貯水空間２８の下端部には、水槽１２の底部１４の下方の地中に配設された排水管３０の一端部が接続され、貯水空間２８及び排水管３０は相互に連通されており、またこの排水管３０には、その内部を流れる水の流量を調節するための絞り弁３２が設けられている。内側筒状部６の開口部２６には環状の取付凹部３４が設けられ、この取付凹部３４には、例えば強化ガラスなどから構成される円盤状の防水用透光カバー３６が取り付けられており、この防水用透光カバー３６は、光源１０からの光が透過されるように構成され、その中央部には円形状の第１挿通用開口３８が設けられている。この第１挿通用開口３８の内径は、噴水管８の外径よりも僅かに大きく又は噴水管８の外径とほぼ同じ大きさに構成されている。内側筒状部６の開口部２６（すなわち、取付凹部３４）と防水用透光カバー３６の外側部との間には、例えばＯリングなどから構成される環状の防水用シール部材４０が介在されており、この防水用シール部材４０によって内側筒状部６の開口部２６と防水用透光カバー３６の外側部との間の隙間が気密的にシールされる。
【００２３】
内側筒状部６の軸方向中間部における内側には、光源１０（後述する）を支持するための円盤状の支持部材４２が熱伝的に（すなわち、熱伝達が充分に行われるように）取り付けられており、この支持部材４２は防水用透光カバー３６と対向され、またその中央部には、第１挿通用開口３８に対応して円形状の第２挿通用開口４４（後述する）が設けられている。この第２挿通用開口４４の内径は、噴水管８の外径よりも僅かに大きく又は噴水管８の外径とほぼ同じ大きさに構成されている。内側筒状部６の内側部の支持部材４２の配設部位よりも上側部分には反射面４６が形成されており、この反射面４６には、金属蒸着やメッキを施す、あるいは鏡面性が施された金属薄板や金属テープ等（図示せず）を貼付することによって鏡面性が付与されており、後述するように光源１０からの光がこの反射面４６にて反射される。なお、内側筒状部６及び支持部材４２は、熱伝導性の高い例えばアルミニウムやステンレスなどから形成することが好ましい。
【００２４】
噴水管８は、その内部を水が流れる導水管４８と、この導水管４８の外周を覆う保護管５０と、から構成されており、導水管４８と保護管５０との間には、例えば発泡ウレタンなどから構成される振動吸収材５２が介在されている（図４参照）。この噴水管８は、内側筒状部６の内側に上下方向に延びて配設され、防水用透光カバー３６の第１挿通用開口３８及び支持部材４２の第２挿通用開口４４にそれぞれ挿通されることにより内側筒状部６に支持されている。第１挿通用開口３８と噴水管８との間には、例えばＯリングなどから構成される環状の防水用シール部材５４が介在されており、この防水用シール部材５４によって防水用透光カバー３６と噴水管８との間の隙間が気密的にシールされる。噴水管８の一端部は、防水用透光カバー３６よりも上側に延びて透光板２０の噴出用開口２２の下方近傍に配設され、またその他端部は、内側筒状部６よりも下側に延びて地中に配設されるとともに略垂直に折り曲げられ、地中に配設された給水管５６の一端部に接続されている。給水管５６の他端部は給水ポンプ（図示せず）に接続されており、この給水ポンプの作用により、水槽１２に貯められた水が給水管５６を介して噴水管８（導水管４８）へと供給される。なお、噴水管８の一端部は、透光板２０の噴出用開口２２内まで延びるようにしてもよい。
【００２５】
光源１０は、例えば砲弾型の複数（本実施形態では４８個）のＬＥＤ５８と、ＬＥＤ５８が取り付けられる複数（本実施形態では８個）のＬＥＤ取付基板６０と、から構成されている。ＬＥＤ取付基板６０は横長の板状に構成され、その片面（図２において上側の面）には複数（本実施形態では６個）のＬＥＤ５８が所定の間隔を置いて次のようにして取り付けられている。このＬＥＤ取付基板６０の片面には、配線パターン（図示せず）及びこの配線パターンに電気的に接続された端子部（図示せず）が設けられており、各ＬＥＤ５８のリード部６２（図４参照）は、はんだ付けにより配線パターンに電気的に接続され、これにより各ＬＥＤ５８がＬＥＤ取付基板６０に取り付けられる。なお、各ＬＥＤ５８のリード部６２及びＬＥＤ取付基板６０の片面はそれぞれ、例えば樹脂などの防水用モールド部材６４により覆われている（図４参照）。ＬＥＤ取付基板６０に設けられた端子部は、電力ケーブル（図示せず）を介して電力供給装置（図示せず）に電気的に接続されており、電力供給装置からの所定の電力が電力ケーブル、端子部及び配線パターン（これらによりＬＥＤ点灯回路が構成される）を介して各ＬＥＤ５８にそれぞれ供給されることにより、各ＬＥＤ５８が発光される。ＬＥＤ５８が取り付けられた複数のＬＥＤ取付基板６０は、支持部材４２の片面（図２において上側の面）に周方向に所定の間隔を置いて熱伝的に取り付けられており、これにより複数のＬＥＤ５８は、防水用透光カバー３６に対向されるとともに噴水管８の周囲に放射状に配設されることとなる（図３参照）。なお、これら複数のＬＥＤ５８は、全て同じ発光色を有するものを使用してもよく、あるいは赤色、緑色及び青色の発光色を有するＬＥＤを用い、これら各発光色を混色させて白色の発光色を得るようにしてもよい。
【００２６】
次に、本実施形態の噴水装置２による水の噴出方法について説明する。給水ポンプ（図示せず）が作動すると、水槽１２内に貯められた水が、給水ポンプの作用により給水管５６を介して噴水管８の他端部に供給され、噴水管８の他端部に供給された水は、噴水管８（導水管４８）の内部を上方に向かって流れて噴水管８の一端部より噴出される。噴水管８の一端部より噴出された水の大部分は、透光板２０の噴出用開口２２を通して噴水装置２の外部に噴出され、再び水槽１２内に貯められる。筒状本体部４の開口部１６と透光板２０の外周部との間の隙間は防水用シール部材２４により気密的にシールされているので、水槽１２内に貯められた水がこの隙間より筒状本体部４内に浸入することがない。また、導水管４８と保護管５０との間には振動吸収材５２が介在されているので、導水管４８の内部を流れる水の圧力によって導水管４８が振動するのを抑制することができ、振動によって導水管４８、支持部材４２及び防水用透光カバー３６などに亀裂などが生じるのが防止される。
【００２７】
また、噴水管８の一端部より噴出された水の一部は、透光板２０の噴出用開口２２より外部に噴出されることなく、防水用透光カバー３６の上面を径方向外方に向かって流れて貯水空間２８に貯められ、また水槽１２内に貯められた水の一部は、透光板２０の噴出用開口２２を通して筒状本体部４内へと流れ、上述したのと同様にして貯水空間２８に貯められる。貯水空間２８に貯められた水は、排水管３０を通して外部に排出されるが、その水位は、排水管３０に設けた絞り弁３２の開度を所定の開度に調節することによって、光源１０の配設部位よりも上側に保持されている。
【００２８】
このように噴水管８の一端部より水が噴出されている状態において、電力供給装置（図示せず）が作動されると、電力供給装置からの所定の電力が、電力ケーブル、端子部及び配線パターンを介して各ＬＥＤ５８にそれぞれ供給されて各ＬＥＤ５８が発光される。各ＬＥＤ５８が発光されると、各ＬＥＤ５８からの光は直接防水用透光カバー３６に向けて照射されるとともに、各ＬＥＤ５８からの光の一部は内側筒状部６の内側面の反射面４６にて反射され、この反射光が防水用透光カバー３６に向けて照射される。このように防水用透光カバー３６に向けて照射された各ＬＥＤ５８からの直接光及び反射光は、防水用透光カバー３６及び透光板２０をそれぞれ透過し、噴水管８の一端部より噴出された水を下方より照明する。複数のＬＥＤ５８は噴水管８の周囲に配設されているので、噴水管８と光源１０との離間距離が小さくなり、これにより各ＬＥＤ５８からの光は、噴水管８の一端部より噴出された水をその周囲より均一にムラなく照明することができ、効果的な照明を行うことが可能となる。
【００２９】
各ＬＥＤ５８が点灯されると各ＬＥＤ５８が発熱し、各ＬＥＤ５８からの熱は、次のようにして放熱される。上述したように貯水空間２８に貯められた水の水位は、光源１０の配設部位よりも高いレベルに保持されているので、光源１０の周囲が貯水空間２８に貯められた水によって覆われ、これにより貯水空間２８に貯められた水は、ＬＥＤ取付基板６０、支持部材４２及び内側筒状部６を介して複数のＬＥＤ５８を冷却する。各ＬＥＤ５８からの熱によって加温された水は排水管３０を介して外部に排出されるとともに、噴水管８の一端部からの低温の水が貯水空間２８に貯められるので、各ＬＥＤ５８からの熱を効率的に放熱させることができる。したがって、本実施形態のように光源１０として砲弾型の多数のＬＥＤ５８を用いた場合や、あるいは発熱量の大きい高輝度ＬＥＤ（図示せず）を用いた場合などであっても、各ＬＥＤ５８からの熱を充分に且つ効率的に放熱させることができ、各ＬＥＤ５８を効率よく発光させることが可能となる。
【００３０】
上述のように各ＬＥＤ５８が発光されている状態において、噴水管８からの水が防水用透光カバー３６の上面を流れた場合であっても、内側筒状部６の開口部２６と防水用透光カバー３６の外側部との間の隙間及び防水用透光カバー３６の第１挿通用開口３８と噴水管８との間の隙間は、それぞれ防水用シール部材４０，５４により気密的にシールされているので、水がこれらの隙間より内側筒状部６内に浸入することがなく、水がＬＥＤ５８などの電装部品に付着してＬＥＤ点灯回路（図示せず）などがショートするのを防止することができる。また、防水用シール部材４０，５４が経年劣化するなどして、仮に水が内側筒状部６内に浸入した場合であっても、各ＬＥＤ５８のリード部６２及びＬＥＤ取付基板６０の片面はそれぞれ防水用モールド部材６４により覆われているので、水がＬＥＤ５８のリード部６２や配線パターンなどに付着することがなく、ＬＥＤ点灯回路などがショートするのを確実に防止することが可能となる。
【００３１】
次に、図５を参照して、噴水装置の他の実施形態について説明する。図５は、他の実施形態による噴水装置の図２のＡ−Ａ’線による断面図である。図５において、図１〜図４に示す実施形態の構成要素と同一の構成要素には同一の符号を付してその説明を省略する。
【００３２】
この他の実施形態の噴水装置２Ａでは、光源１０Ａは、複数（本実施形態では５６個）のＬＥＤ５８と、複数のＬＥＤ５８が取り付けられる環状の第１〜第３ＬＥＤ取付基板６６，６８，７０と、から構成されており、第１〜第３ＬＥＤ取付基板６６，６８，７０の外径はこの順に大きくなるように構成されている。第１〜第３ＬＥＤ取付基板６６，６８，７０にはそれぞれ、例えば１２個，２０個，２４個のＬＥＤ５８が周方向に所定の間隔を置いて取り付けられており、これら第１〜第３ＬＥＤ取付基板６６，６８，７０は、支持部材４２の片面に径方向に所定の間隔を置いて配設され、これにより複数のＬＥＤ５８は、噴水管８の周囲に同心円状に配設されることとなる。また、上述した実施形態と同様に、ＬＥＤ５８のリード部（図示せず）及びＬＥＤ取付基板４２の片面はそれぞれ防水用モールド部材（図示せず）により覆われている。
【００３３】
この他の実施形態の噴水装置２Ａにおいても、上述した実施形態と同様に、複数のＬＥＤ５８と噴水管８との離間距離を小さく構成することができるので、各ＬＥＤ５８からの光を噴水管８の一端部より噴出される水にその周囲より均一にムラなく照明させることができ、効果的な照明を行うことが可能となる。
【００３４】
以上、本発明に従う種々の噴水装置の実施形態について説明したが、本発明はかかる実施形態に限定されるものではなく、本発明の範囲を逸脱することなく種々の変形乃至修正が可能である。
【００３５】
例えば、上記実施形態では、噴水管８の一端部を透光板２０の噴出用開口２２の下方近傍に配設したが、これに限られず、噴水管８の一端部を噴出用開口２２に挿通させて透光板２０よりも上側に突出させるようにしてもよい。また、このように噴水管８の一端部を噴出用開口２２に挿通させた場合には、噴水管８と噴出用開口２２との間の隙間を防水用シール部材（図示せず）によって気密的にシールし、筒状本体部４の内部を密閉するようにしてもよい。
【００３６】
また例えば、上記実施形態では、筒状本体部４と内側筒状部６との間に貯水空間２８を設けたが、このような貯水空間２８を省略してもよく、各ＬＥＤ５８からの熱を支持部材４２を介して内側筒状部６に伝達させ、筒状本体部４の内部を流れる空気によって放熱させるようにしてもよい。
【００３７】
また例えば、上記実施形態では、複数のＬＥＤ５８を噴水管８の周囲に放射状又は同心円状に配設するようにしたが、これに限られず、例えば噴水管８の周囲に複数のＬＥＤ５８をくまなく配設させるようにしてもよく、ＬＥＤ５８の個数及び配置は適宜設定することができる。また例えば、上記実施形態では、筒状本体部４と水槽１２の底部１４とを別体に構成したが、これらを一体に構成するようにしてもよい。
【図面の簡単な説明】
【００３８】
【図１】本発明の一実施形態による噴水装置を示す概略斜視図である。
【図２】図１の噴水装置を示す概略断面図である。
【図３】図２の噴水装置のＡ−Ａ’線による断面図である。
【図４】図２の光源及びその近傍を示す部分拡大断面図である。
【図５】他の実施形態による噴水装置の図２のＡ−Ａ’線による断面図である。
【図６】従来の噴水装置を示す概略断面図である。
【符号の説明】
【００３９】
２，２Ａ，１００  噴水装置
４  筒状本体部
６  内側筒状部
８，１０４  噴水管
１０，１０Ａ，１１０  光源
２０  透光板
２２  噴出用開口
２８  貯水空間
３６  防水用透光カバー
３８  第１挿通用開口
４２  支持部材
４８  導水管
５０  保護管
５２  振動吸収材
５８  ＬＥＤ
【図１】
2006351268.tif 000003
【図２】
2006351268.tif 000004
【図３】
2006351268.tif 000005
【図４】
2006351268.tif 000006
【図５】
2006351268.tif 000007
【図６】
2006351268.tif 000008